(57)【特許請求の範囲】
【請求項１】
感光材料を搬送経路に沿って第１処理部から第２処理部へと搬送させるための感光材料搬送装置において、
前記第１処理部から前記第２処理部へ向けて前記感光材料を上下方向に搬送させる駆動源と、
前記第１処理部から前記第２処理部へ向けて前記感光材料を左右方向に搬送させるガイド機構とを備え、
前記ガイド機構は、前記駆動源による前記感光材料の前記上下方向の搬送に連動させて、前記感光材料を前記左右方向に搬送させることを特徴とする感光材料搬送装置。
【請求項２】
感光材料を搬送経路に沿って第１処理部から第２処理部へと搬送させるための感光材料搬送装置において、
前記第１処理部から前記第２処理部へ向けて前記感光材料を上下方向に搬送させるガイド機構と、
前記第１処理部から前記第２処理部へ向けて前記感光材料を左右方向に搬送させる駆動源とを備え、
前記ガイド機構は、前記駆動源による前記感光材料の前記左右方向の搬送に連動させて、前記感光材料を前記上下方向に搬送させることを特徴とする感光材料搬送装置。
【請求項３】
前記第１処理部は写真フィルムの画像を前記感光材料に焼付ける露光部であり、前記第２処理部は焼き付けられた前記感光材料を現像処理する現像処理部であることを特徴とする請求項１又は２に記載の感光材料搬送装置。
【請求項４】
前記感光材料を挟持する一対の挟持ローラと、この挟持ローラが取り付けられるホルダとが備えられ、前記感光材料は前記挟持ローラに挟持された状態で前記第１処理部から前記第２処理部へと搬送されることを特徴とする請求項１〜３のいずれかに記載の感光材料搬送装置。
【請求項５】
前記ガイド機構は、ガイドレールとこのガイドレールに案内されるガイドローラを備えており、このガイドローラが前記ホルダに回転可能に取り付けられていることを特徴とする請求項４に記載の感光材料搬送装置。
【発明の詳細な説明】
【０００１】
【発明の属する技術分野】
本発明は、感光材料を搬送経路に沿って第１処理部から第２処理部へと搬送させるための感光材料搬送装置に関する。
【０００２】
【従来の技術】
図９，１０により従来技術に係る感光材料搬送装置を説明する。図９は写真処理装置の露光部と現像処理部（一部）の拡大断面図である。露光部１１では印画紙マガジン９にロール状に巻かれた感光材料１０が送りローラで送り出され、カッター１で各コマ長さにカットされた感光材料１０として露光台２へ送られる。露光台２上には、断面が三角形の頂点にローラを設けその周りに巻かれた無端状の吸着ベルト３が設けられ、この吸着ベルト３が図の矢印方向に移動することによって、感光材料１０を所定位置まで送る。吸着ベルト３には多数の小孔が穿設されており、内部を真空状にすることによって感光材料１０を吸着ベルト３に吸着するようにしている。露光台２の所定位置に送られた感光材料１０は、光源４からの光でミラートンネル５、ネガマスク６、レンズユニット７等を介してネガマスク６に保持されているフィルム８の画像を焼付露光する。焼付露光された感光材料１０は感光材料搬送装置１３によって次の現像処理部１２へ送られる。
【０００３】
図１１は写真処理装置の平面図である。露光部１１における搬送経路と現像処理部１２における搬送経路を見てみると、左右方向にずれている。ここで、左右方向とは各部１１，１２における搬送経路と直交又はほぼ直交する方向（図１０のＸ方向）であると定義する。左右方向にずれている理由は、図１１の図番１４で示されるスペースに現像処理部１２のための補充タンクや廃液タンクが配置されるため、このスペース１４に露光部１１を配置することができないためである。
更に、図９からも明らかなように、露光部１１から感光材料１０が排出される高さと現像処理部１２へ感光材料１０を搬入する高さとが異なっている。
以上の事情から、露光部１１から現像処理部１２へ感光材料１０を搬送するには、感光材料１０の左右方向（Ｘ方向）の搬送と上下方向（図９のＹ方向）の搬送とが必要となり、この搬送をさせるために感光材料搬送装置１３が設けられているのである。
図１０に感光材料搬送装置１３の外観斜視図を示し、この装置１３は、複数のローラ対１５と、これらローラ対１５を保持するローラユニット１６と、ローラ対１５を駆動するＹ方向搬送モータ１７と、ローラユニット１６が取り付けられる無端ベルト１８と、無端ベルト１８を介してローラユニット１６のＸ方向の駆動を行うＸ方向搬送モータ１９と、上下一対のスライドレール２０とを備えている。
現像処理部１２は、タンク２１内を仕切り板２２によりいくつかの区画に仕切る。各区画内には複数のローラ対２３を水平に支持したラックが備えられている。感光材料搬送装置１３と現像処理部１２との間にもローラ群２４が設けられている。
以上説明した従来技術によれば、露光部１１（第１処理部）から現像処理部（第２処理部）１２へ感光材料１０を搬送するには、上下方向及び左右方向に沿った搬送が必要であり、上下方向の搬送はモータ１７によりローラ対１５を駆動することで行われ、左右方向の搬送はモータ１９によりローラユニット１６を駆動することで行われる。
【０００４】
【発明が解決しようとする課題】
しかしながら、この従来技術では感光材料１０の左右方向（Ｘ方向）と上下方向（Ｙ方向）の搬送のためにそれぞれ搬送モータ１７，１９を設けており装置の構造も複雑となりコストがかなりかかっていた。又、上下方向の搬送のために複数のローラ対１５を設けており、この点においてもコストがかかっており改善が望まれていた。
本発明は、上記実情に鑑みてなされたものであり、その目的は従来技術に比べて簡単な構成を有する感光材料搬送装置を提供することである。
【０００５】
【課題を解決するための手段】
上記目的を達成するための本発明の特徴構成は、
感光材料を搬送経路に沿って第１処理部から第２処理部へと搬送させるための感光材料搬送装置において、
前記第１処理部から前記第２処理部へ向けて前記感光材料を上下方向に搬送させる駆動源と、
前記第１処理部から前記第２処理部へ向けて前記感光材料を左右方向に搬送させるガイド機構とを備え、
前記ガイド機構は、前記駆動源による前記感光材料の前記上下方向の搬送に連動させて、前記感光材料を前記左右方向に搬送させることである。
この構成によると、駆動源（例えば、モータ、シリンダ）は上下方向の搬送に用い、左右方向の搬送は、ガイド機構により上下方向の搬送に連動させて行うことができる。従って、従来技術のように、上下方向と左右方向の搬送のためにそれぞれ駆動源を設ける必要がないから、構成が簡単となりコストも低減することができた。
なお、左右方向の搬送を駆動源で、上下方向の搬送をガイド機構で行っても、同じ効果が得られることは言うまでもない。
【０００６】
第１処理部と第２処理部の具体例として、前記第１処理部は写真フィルムの画像を前記感光材料に焼付ける露光部であり、前記第２処理部は焼き付けられた前記感光材料を現像処理する現像処理部であるものがあげられる。もちろん、これらの処理部に限定されるものではない。
【０００７】
本発明の好ましい実施形態として、前記感光材料を挟持する一対の挟持ローラと、この挟持ローラが取り付けられるホルダとが備えられ、前記感光材料は前記挟持ローラに挟持された状態で前記第１処理部から前記第２処理部へと搬送されるものがあげられる。
この構成によると、感光材料を搬送するためのローラとして、一対の挟持ローラが用いられ、従来技術のように、複数のローラ対を用いる必要はない。従って、ローラ対の数を少なくすることができ、この点においても簡単な構成とすることができる。
【０００８】
更に、本発明の好ましい実施形態として、前記ガイド機構は、ガイドレールとこのガイドレールに案内されるガイドローラを備えており、このガイドローラが前記ホルダに回転可能に取り付けられているものがある。
これによると、ガイド機構をガイドレールとガイドローラとの組合せという簡単な構成で実現できる。
【０００９】
本発明のその他の特徴と利点は、以下の図面を用いた実施形態の説明から明らかにされるだろう。
【００１０】
【発明の実施の形態】
本発明の好ましい実施形態を、図１〜４を基に説明する。
ここでは、写真処理装置のうちの露光部１１と搬送装置１３の詳細が示される。露光部１１の基本構成は図９に示すものと同じである。三角形に巻回された吸着ベルト３の各頂点には、ローラ対３４，３５，３６が設けられている。感光材料１０は図１の左から右側へと搬送される（図１の矢印Ｂ）。露光部１１の下流側のローラ対３４は、押えローラ３４ａと駆動ローラ３４ｂとからなり、更にその下流側には感光材料搬送装置１３が設けられている。
【００１１】
次に、感光材料搬送装置１３の構成について説明する。
この装置１３は、感光材料１０を挟持する下部保持ローラ４０及び上部保持ローラ４１と、これらローラ４０，４１へ感光材料１０を案内するガイド部材４２と、保持ローラ４０，４１を回動自在に保持し、ガイド部材４２が固定取り付けされる第１ローラ保持台４３と、第１ローラ保持台４３を下部保持ローラ４０の軸芯周りに回動可能に保持する第２ローラ保持台４４、第１ローラ保持台４３を図１の時計方向に回動付勢するねじりコイルばね４５と、第１ローラ保持台４３の時計方向の回動を阻止する回動規制板４６と、下部保持ローラ４０と同軸に取り付けられるギヤ４７とを備える。回動規制板４６は、台板６１に対して取り付けられる。回動規制板４６の上部は、円弧面を有する案内部４６ａを備えている。保持ローラ４０，４１は、保持台４３，４４を介してホルダ３０に取り付けられている。ここで、保持ローラ４０，４１は、感光材料１０を挟持する挟持手段として機能する。
駆動ローラ３４ｂは、駆動源であるモータ２９により駆動され、駆動力は駆動ローラ３４ｂと同軸に設けられた第１ギヤ３８、第２ギヤ３９、ギヤ４７を介して下部保持ローラ４０に伝達される。なお、ギヤ４７と下部保持ローラ４０とは、ワンウェイクラッチを介して連結される。
【００１２】
感光材料１０のＸ，Ｙ方向の駆動を行うための構成を以下説明する。
図２に示すように、ホルダ３０は、上下２本のガイド軸３１，３２によりＸ方向にガイドされる。ガイド軸３１，３２は、ガイド軸支持体３３に取り付けられている。更に、ホルダ３０を上下方向に移動させるためのガイドレール２６とガイドローラ２７，２８とが設けられており、これらは感光材料１０を上下方向に搬送させるガイド機構として機能する。ガイドレール２６は上下２箇所の取り付け部２６ａ，２６ｂと、第１直線部２６ｃと、第２直線部２６ｅと、傾斜部２６ｄとを備えている。ガイドローラ２７，２８はホルダ３０に回転自在に取り付けられており、傾斜部２６ｄの形状に合わせて斜め方向に配置されている。
【００１３】
ガイド軸支持体３３は、ホルダ５０に取り付けられており、このホルダ５０は左右２本のガイド軸５１，５２によりＹ方向にガイドされる。ホルダ５０の側面部５０ａには無端ベルト５３が取り付けられており、モータ５４によりホルダ５０は上下方向に駆動されるようになっている。無端ベルト５３は、上下一対のスプロケット５５，５６に巻回されている。又、ガイド軸５１，５２はガイド軸支持体５７に取り付けられている。又、ホルダ３０の上下方向の位置を検出するための第１センサー５８と第２センサー５９が設けられている。具体的な構成としては、支持体５７に突出部または切り欠き部を設けこれを光学的に検出するものがあげられる。
【００１４】
図４に示すように、感光材料搬送装置１３内に搬送されてきた感光材料１０の先端部を検出する、発光器６０ａと受光器６０ｂとからなる第３センサー６０が設けられている。  又、感光材料搬送装置１３の上部には、搬送されてきた感光材料１０を受け取るローラ対６２と、感光材料１０を現像処理部１２へと案内するローラ対６３とが設けられている。
【００１５】
図５は、制御ブロック図である。写真処理装置の各部はマイクロコンピュータを中核とする制御部８０により作動制御される。搬送制御手段８１は、各センサー５８，５９，６０の出力信号に基づき、各モータ２９，５４の駆動を制御する。更に、制御部８０は、露光部３０と現像処理部１２の作動をも制御している。
【００１６】
［作動説明］
次に、本実施形態の作動について説明する。
図１に示すように、カッター１により各コマ毎に切断された感光材料１０が露光台２に搬送されて来ると、ネガフィルム８の画像が露光される。
次に、図４（ａ）に示すように、露光済みの感光材料１０が搬送されてくると、ガイド部材４２に案内されて、引続き保持ローラ４０，４１による図１の矢印Ｂ方向に搬送される。センサー６０により感光材料１０の先端が検出されると、保持ローラ４０，４１の駆動を停止する。引き続いて、モータ５４を起動し、感光材料１０を挟持した状態のホルダ３０を上昇させていく。図４（ａ）の状態では、第１ローラ保持台４３はねじりコイルバネ４５の作用により時計方向に回動しようとするが、回動規制板４６が存在するためにその回動を阻止されている。しかしながら、図４（ｂ）の状態まで、ホルダ３０が上昇すると、回動規制板４６による阻止から開放され、ねじりコイルばね４５により第１ローラ保持台４３が時計方向に約９０°回動する。これにより、感光材料１０も水平状態から鉛直状態へと姿勢変更される。この姿勢変更により、感光材料１０の乳剤面が搬送経路の外側から内側へと移動する。このように、搬送経路の途中で表裏面が入れ替わるので、これをスイッチバック方式と呼ぶものとする。
【００１７】
Ｘ，Ｙ方向に感光材料１０が搬送される状態を図２，６，７で説明する。図２は初期状態であり、図４で説明した第３センサー６０により感光材料１０が挟持されたことが検出されると、モータ５４を起動し、感光材料１０をＹ方向へと搬送させていく。ガイドローラ２７，２８が第２直線部２６ｅにガイドされているときは、感光材料１０は上昇されるのみである。図６のように、ガイドローラ２７，２８がガイドレール２６の傾斜部２６ｄのところにまで移動してくると、感光材料１０のＸ方向の移動が開始される。傾斜部２６ｄのところでは、感光材料１０はＹ方向へ搬送されながら、Ｘ方向にも搬送されることになる。ガイドローラが第１直線部２６ｃのところにくると再び感光材料１０は上昇されるのみとなる。第１センサー５８により感光材料１０の上昇完了が検出されると、モータ５４は停止させられる。この状態で感光材料１０の先端部がローラ対６２に受渡しされる。以下、現像処理部１２において感光材料１０の現像処理が行われる。
感光材料１０の受渡しが完了すると、保持ローラ４０，４１を初期位置に復帰させるべくモータ５４を逆方向に駆動させる。初期位置への復帰は第２センサー５９により検出される。
【００１８】
更に、本発明の別実施形態について説明する。
本実施形態では、モータ５４は感光材料１０の上下方向の搬送に用いて、ガイドレール２６により上下方向の搬送に連動させて左右方向の搬送を行うようにしているが、図８に示すように、モータ５４は感光材料１０の左右方向の搬送に用いて、ガイドレール２６により左右方向の搬送に連動させて上下方向の搬送を行うようにしてもよい。
ガイド機構の構成として、ガイドレールとガイドローラの組合せでなく、カムとカムフォロアーとの組合せなど種々のものを利用することができる。
感光材料搬送装置の駆動源として、モータではなくシリンダ等他のものを利用してもよい。
【図面の簡単な説明】
【図１】写真処理装置の露光部と感光材料搬送装置を示す側面図
【図２】感光材料搬送装置の正面図
【図３】感光材料搬送装置の斜視図
【図４】保持ローラ周りの構成を示す図
【図５】写真処理装置の構成を示すブロック図
【図６】感光材料搬送装置の作動図
【図７】感光材料搬送装置の作動図
【図８】第２実施形態に係る感光材料搬送装置の正面図
【図９】従来技術に係る感光材料搬送装置の断面図
【図１０】従来技術に係る感光材料搬送装置の斜視図
【図１１】感光材料搬送装置の平面図
【符号の説明】
１０      感光材料
１１      露光部
１２      現像処理部
１３      感光材料搬送装置
２６      ガイドレール
２７，２８    ガイドローラ
３０      ホルダ
４０      下部保持ローラ
４１      上部保持ローラ
５０      ホルダ
５４      モータ
【図１】
0003663821.tif 000002
【図２】
0003663821.tif 000003
【図３】
0003663821.tif 000004
【図４】
0003663821.tif 000005
【図５】
0003663821.tif 000006
【図６】
0003663821.tif 000007
【図７】
0003663821.tif 000008
【図８】
0003663821.tif 000009
【図９】
0003663821.tif 000010
【図１０】
0003663821.tif 000011
【図１１】
0003663821.tif 000012